(57)【要約】【課題】現時点で２輪車への自動車用ナビゲーションシステムと同等の機能を有したナビゲーションシステムの普及は殆どない。２輪車に安全かつ実用的なナビゲーションシステムを、各メーカーから販売されているポータブルナビゲーションシステム使用し、単純な方法で取り付けることを可能とする技術である。【解決手段】タンクバックの上面にポータブルナビゲーションシステムのモニタースタンドをタンクバックの外側、又は内側に密着固定したプラスチックや金属等の板にネジ又は接着剤を使用することで固定する。又、雨天の時は専用のカバーを使用することでポータブルナビゲーションシステムの地図機能を使用可能とする。【選択図】図１
2006327557.tif 000002
【特許請求の範囲】
【請求項１】
ナビゲーションシステムのモニター部分、又はナビゲーションシステム全体を、２輪車用タンクバック若しくはこれに類似した２輪車用バック類の外側上部部分に取り付けを可能にすることを特徴とする、取り付け方法。
【請求項２】
請求項１で取り付けたナビゲーションシステム全体若しくはモニター部分を雨又は埃等から防護するために、請求項１で取り付けたナビゲーションシステム全体若しくはモニター部分を含めるような構造で透明な部分を有する雨又は埃等を防護するカバー。
【請求項３】
請求項２の雨又は埃等を防護するカバーには請求項１で取り付けたナビゲーションシステムのモニター部分、又はナビゲーションシステム全体を２輪車用タンクバック又はこれに類似した２輪車用バック類上の外側上部部分に装着していない場合、ナビゲーションシステムのモニター部分、又はナビゲーションシステム全体を雨又は埃等から防護する構造を有するカバー部分を走行中に支障をきたさないようにする為の収納部を有する雨よけカバー。そしてこの収納部は収納部分を固定させる機能を有する。
【発明の詳細な説明】
【技術分野】
【０００１】  本発明は２輪車へのナビゲーションシステムをタンクバック上へ取り付ける事に関する技術である。
【背景技術】
【０００２】  現在、自動車へのナビゲーションシステムの普及は広まっている。一方、２輪車へのナビゲーションシステムの普及は現時点ではごく一部の大型スクーターやナビゲーション機能の著しく劣るポータブルナビゲーションシステムだけにとどまっている。【０００３】  ２輪車へのナビゲーションシステムの取り付けには盗難の危険性が大である。【０００４】  ２輪車にはナビゲーションシステムを取り付ける有効なスペースが殆どない。【０００５】  仮にナビゲーションシステムを取り付けたとしても、取り付け位置によっては脇見運転等になる恐れがある。【０００６】  取り付け位置によってナビゲーションシステムが本来持っている地図表示機能及び音声案内等の機能が十分に発揮出来ない。太陽光線やバイクのエンジン音又は騒音がその主な原因である。【０００７】  タンクバック内にナビゲーションシステムを入れることも考案されているが、実際には実用性がなく、現在に至っても商品化されていない。荷物を入れるというタンクバックそのものの役割を果たしていないのが現状である。
【特許文献１】特許公開平８−１４２９５４
【実用新案文献１】
実用新案出願平７−１３９７２
【発明の開示】
【発明が解決しようとする課題】
【０００８】  解決しようとする問題点は盗難及びナビゲーションシステムの取り付け位置による脇見運転の防止、地図表示機能及び音声案内機能の不具合の改善。そしてタンクバックが本来持っている荷物を入れるという機能の回復である。
【課題を解決するための手段】  ナビゲーションシステムのモニター部分、又はナビゲーションシステム全体を２輪車用タンクバック等の外側上部部分に取り付ける。雨又は埃等による破損を防ぐために、ナビゲーションシステムのモニター部分、又はナビゲーションシステム全体を包む専用のカバーを有する。
【発明の効果】
【０００９】  本発明は２輪車のタンクバック上にナビゲーションシステムを取り付けることにより、運転者の交通運転の視線上に地図画像を配置することが出来る。その為、脇見運転等の交通運転上の障害を少なくすることが可能である。【００１０】  通常走行では、運転者の近くに取り付けることにより、ナビゲーションシステムの持っている音声案内機能等を十分に聞き取ることが出来る。【００１１】  そしてナビゲーションシステムの画像表示部分が、自動車に取り付けられているものと同様に垂直やいろんな角度を容易に変えることが出来る。太陽光線により画像が見にくくなるという問題はなくなる。【００１２】  現在、各メーカーより販売されている多くのポータブルナビゲーションシステムは本体部分とナビゲーションシステム部分を固定させるモニタースタンド部分が容易に分離することが出来るので、タンクバックよりナビゲーションシステム部分を外して持ち歩くことが可能であり、盗難されることはない。【００１３】  ナビゲーションシステムがタンクバック上にあることにより、タンクバック自体が緩衝材となりナビゲーションシステムを振動から守ることが出来る。【００１４】  雨が降れば、ナビゲーションシステムを覆う透明な部分を有する雨よけカバーによって地図機能を損なうことなくナビゲーションシステムを雨から防護出来る。
【発明を実施するための最良の形態】  ナビゲーションシステム機器を販売している各メーカーのモニタースタンドをタンクバック上、又はタンクバック内に密着固定したプラスチックや金属などの板に直接に接着又は、ネジ等を使用して固定する。単純で最小限度の構成部品で２輪車でのナビゲーションシステムを不自由なく使用することが出来る。
【実施例１】
【００１５】  図１、図２は各メーカーから販売されているポータブルナビゲーションシステムを請求項１によりタンクバック上に取り付けた全体像である。【００１６】  図３は本発明の実施例で、タンクバックの外側にプラスチックや金属などの板をタンクバック上面に密着固定し、モニタースタンドを直接に接着又はネジ等を使用して固定した例である。【００１７】  図４はタンクバックの内側にプラスチックや金属などの板をタンクバックの内面と密着固定し、ネジを使用してモニタースタンドを固定した例である。【００１８】  図５、図６はモニタースタンドからポータブルナビゲーションシステムを外した状態の図である。そしてモニタースタンドをタンクバックの外側（図５）または内側（図６）にタンクバックと密着固定したプラスチックや金属などの板を使って接着剤又はネジ等を使用して固定したものである。【００１９】  図７はポータブルナビゲーションシステムを雨や埃から防護するためのカバーであり、これを使用しても画像表示部分が運転者に見えるように部分的に透明な素材を使用する。【００２０】  図８はポータブルナビゲーションシステムをモニタースタンドから分離して、雨や埃を防ぐカバーをタンクバックに装着した状態で、ポータブルナビゲーションの突出した部分（図７の５）が、走行の妨げにならないよう、袋状の構造をもつカバー内に納められている。請求項３の一例である。
【産業上の利用可能性】  地図より、圧倒的な情報量をもち、尚かつ種々の便利な機能をもつナビゲーションシステムが自動車だけではなく、２輪車にも使えることは２輪車運転手の切望であり今後、ツーリングに出かける２輪車運転手には不可欠な道具の一つとなる。
【図面の簡単な説明】
【００２１】
【図１】ナビゲーションシステムをタンクバックに取り付けた説明図
【図２】運転者側から見たナビゲーションシステム取り付けの説明図
【図３】モニタースタンドをタンクバック外側に密着固定されたプラスチックや金属などの板に固定した説明図
【図４】モニタースタンドをタンクバック内側に密着固定されたプラスチックや金属などの板で固定した説明図
【図５】ナビゲーションシステムをモニタースタンドより分離し、モニタースタンドをタンクバックの外側から密着固定されたプラスチックや金属などの板で固定した説明図
【図６】ナビゲーションシステムをモニタースタンドより分離し、モニタースタンドをタンクバックの内側から密着固定されたプラスチックや金属などの板で固定した説明図
【図７】ナビゲーションシステムを雨や埃から防護するためのカバーの説明図
【図８】ナビゲーションシステムを分離して突出した部分を格納した状態のカバーの説明図
【符号の説明】
【００２２】  １  タンクバック
２  ポータブルナビゲーションシステム本体
３  モニタースタンド
４  モニタースタンドをタンクバックに固定するタンクバックに密着固定された板
５  カバーのモニター部分の突出部分
６  カバーのモニター部分の突出部分を格納する部分
７  止め具
【図１】
2006327557.tif 000003
【図２】
2006327557.tif 000004
【図３】
2006327557.tif 000005
【図４】
2006327557.tif 000006
【図５】
2006327557.tif 000007
【図６】
2006327557.tif 000008
【図７】
2006327557.tif 000009
【図８】
2006327557.tif 000010